(57)【要約】【課題】複数ページを１ファイルとして画像変換、送信する場合でも、画像変換及び送信の処理全体のパフォーマンスが低下しないようにする。【解決手段】画像データをページごとに、異なる方式の画像変換をそれぞれ行い、変換後の各画像データを記憶装置１０９に格納するとともに、変換後画像データに対応づけて、変換前の画像データの識別情報、ページ識別情報、及び画像変換方式の識別情報を記憶装置に格納する。送信対象である画像データの変換前の識別情報、ページ識別情報、画像変換方式の識別情報、及び送信宛先を指定して入力された画像データ送信要求を受け付け、記憶装置を参照して、画像データ送信要求で指定された３つの識別情報とそれぞれ一致する各識別情報を対応付けられて格納された変換後画像データを読み出して、画像データ送信要求において指定された送信宛先に対して送信する。【選択図】      図１
2004350219.tif 000002
【特許請求の範囲】
【請求項１】
画像データに対して、指定された方式の画像変換を行い、指定された送信宛先に送信する画像データ送信装置において、
画像データをページごとに、異なる方式の画像変換をそれぞれ行い、変換後の各画像データを記憶装置に格納する第１の格納手段と、
前記第１の格納手段によって前記記憶装置に格納された変換後画像データに対応づけて、変換前の画像データの識別情報、ページ識別情報、及び画像変換方式の識別情報を前記記憶装置に格納する第２の格納手段と、
少なくとも、送信対象である画像データの変換前の識別情報、ページ識別情報、画像変換方式の識別情報、及び送信宛先を指定して入力された画像データ送信要求を受け付ける受付手段と、
前記記憶装置を参照して、前記受付手段によって受け付けられた画像データ送信要求において指定された前記３つの識別情報とそれぞれ一致する各識別情報を対応付けられて格納された変換後画像データを検出する検出手段と、
前記検出手段によって検出された変換後画像データを前記記憶装置から読み出して、前記受付手段によって受け付けられた画像データ送信要求において指定された送信宛先に対して送信する送信手段と
を有することを特徴とする画像データ送信装置。
【発明の詳細な説明】
【０００１】
【発明の属する技術分野】
本発明は、画像データ送信装置に関し、特に、画像データに対して、指定された方式の画像変換を行い、指定された送信宛先に送信する画像データ送信装置に関する。
【０００２】
【従来の技術】
スキャナで原稿を読み取って得た画像データ、または記憶装置に格納されている画像データを外部へ送信または印刷する画像処理装置として、従来例えばデジタル複合機が挙げられる。（例えば、特許文献１参照）。このような装置において、画像データを外部へ送信する際に、画素数、解像度、向き等を変換して、適切な画像として送信することが行われる。
【０００３】
このとき、画像変換はページ単位で行われ、送信が終了して不要となったページの画像は記憶装置から破棄される。
【０００４】
また、複数の画像変換送信手段を有することによって、同じ元画像を複数の宛先に送信することも可能であり、その場合は、各画像変換送信手段がそれぞれ同じ元画像に対してページ単位で画像変換を行い、送信を行う。
【０００５】
このように、複数の画像変換送信手段を用いて、同じ元画像に対して画像変換及び送信を行う場合、異なる画像変換送信手段が、全く同じ画像変換を行うことがあり得る。これは、画像変換処理の無駄な実行であり、特に、複数の画像変換送信手段が単一のＣＰＵを共用している場合には、全く同じ画像変換を行っているにも拘らず、前の画像変換送信手段による処理が完了してから後の画像変換送信手段による処理が行われるという、無駄な時間待ちを強いられる。さらに、送信宛先が同様の場合の送信処理や不要画像の破棄処理なども、無駄な重複処理を行うことになる。
【０００６】
これを避けるため、従来、画像変換後の画像データを記憶装置に格納しておき、当該画像データの送信要求時には、改めて画像変換は行わず、記憶装置から対応の画像変換後の画像データを読み出して送信宛先に送信し、送信処理の終了後、保持する必要の無くなった画像変換後の画像データについては記憶装置から消去するという方法が採られている。
【０００７】
【特許文献１】
特開昭６３−０８０６７７号公報
【０００８】
【発明が解決しようとする課題】
ところで、パーソナルコンピュータで一般的に用いられるファイルフォーマットとして、１ファイル中に複数ページを持つことができるフォーマットが存在する。例えば、Ｔｉｆｆ、ＰＤＦ等である。このようなフォーマットを備えたファイルにおいては、あるページの情報に、そのページの画像情報に加え、次ページまたは前ページまでの情報を含んでいる。
【０００９】
しかしながら、上記従来の画像処理装置では、変換されるページの情報が、画像情報を持っているだけで、次ページまたは前ページまでの情報を持っていない。このため、１ページ１ファイルとして画像変換、送信する場合は問題ないが、複数ページを１ファイルとして画像変換、送信する場合、変換時に前ページの情報が得られないため、変換結果を改めてマルチページ化する処理を行う必要があった。これは、画像変換及び送信の処理全体のパフォーマンスを低下させることになっていた。
【００１０】
本発明はこのような問題点に鑑みてなされたものであって、複数ページを１ファイルとして画像変換、送信する場合でも、画像変換及び送信の処理全体のパフォーマンスが低下しないようにした画像データ送信装置を提供することを目的とする。
【００１１】
【課題を解決するための手段】
上記目的を達成するために、本発明によれば、画像データに対して、指定された方式の画像変換を行い、指定された送信宛先に送信する画像データ送信装置において、画像データをページごとに、異なる方式の画像変換をそれぞれ行い、変換後の各画像データを記憶装置に格納する第１の格納手段と、前記第１の格納手段によって前記記憶装置に格納された変換後画像データに対応づけて、変換前の画像データの識別情報、ページ識別情報、及び画像変換方式の識別情報を前記記憶装置に格納する第２の格納手段と、少なくとも、送信対象である画像データの変換前の識別情報、ページ識別情報、画像変換方式の識別情報、及び送信宛先を指定して入力された画像データ送信要求を受け付ける受付手段と、前記記憶装置を参照して、前記受付手段によって受け付けられた画像データ送信要求において指定された前記３つの識別情報とそれぞれ一致する各識別情報を対応付けられて格納された変換後画像データを検出する検出手段と、前記検出手段によって検出された変換後画像データを前記記憶装置から読み出して、前記受付手段によって受け付けられた画像データ送信要求において指定された送信宛先に対して送信する送信手段とを有することを特徴とする画像データ送信装置が提供される。
【００１２】
【発明の実施の形態】
以下、本発明の実施の形態を、図面を参照して説明する。
【００１３】
［第１の実施の形態］
図１は、本発明に係る画像データ送信装置を含む複合機器の一実施の形態の構成を示すブロック図である。この複合機器は、印刷装置、スキャナ、ファクシミリ装置、複写機等が統合された装置である。
【００１４】
上記の複合機器は、画像形成部１０１、制御部１０２、フィニッシャー１０３、スキャナ部１０４、操作部１０５、複数の受信インターフェース１０６、複数の送信インターフェース１０７から構成されており、それぞれが専用インターフェースを介して制御部１０２に接続されている。また、制御部１０２はその主要部が、中央処理装置（ＣＰＵ）１０８と記憶装置（メモリ）１０９とから構成されている。
【００１５】
こうして構成された複合機器において、スキャナ部１０４に原稿をセットし、または、既に記憶装置１０９に保存されている文書を操作部１０５から指定し、さらに操作部１０５から送信宛先を指定して送信を指示する。これにより、送信アプリケーションが制御部１０２において実行され、各送信宛先に応じた画像変換処理が行われた上で、画像データが対応の送信宛先に送信される。
【００１６】
図２及び図３は、図１に示す複合機の制御部１０２で行われる各種要求対応処理の手順を示すフローチャートである。
【００１７】
まず図２において、送信アプリケーションまたはシステムからの処理要求を受け付け（Ｓ２０１）、中央処理装置１０８で、ステップＳ２０１で受け付けた処理要求が画像変換要求であるか否かを判定する（Ｓ２０２）。その結果、画像変換要求であるならば、記憶装置１０９上に設けた画像処理ジョブキュー（図１０を参照して後述）に対してキューイング（画像変換要求を先入れ先出し手法で追加）が可能であるか否かを判定する（Ｓ２０３）。その結果、キューイングが可能であるならば、ステップＳ２０１で受け付けた画像変換要求を画像処理ジョブキューに追加する（Ｓ２０４）。なお、ステップＳ２０３での判定結果がＮＯならば、ステップＳ２０１に戻り、処理は新たな要求待ちになる。
【００１８】
ステップＳ２０４の処理後、中央処理装置１０８で、画像処理ジョブキューに、処理待ち状態になっているジョブがあるか否かを判定する（Ｓ２０５）。その結果、処理待ち状態になっているジョブがあるならば、中央処理装置１０８で、画像変換処理が可能であるか否かを判定する（Ｓ２０６）。ステップＳ２０５およびステップＳ２０５での判定がそれぞれＮＯならば、ステップＳ２０１に戻り、処理は新たな要求待ちになる。
【００１９】
ステップＳ２０６での判定結果がＹＥＳならば、画像変換処理要求に従い、中央処理装置１０８で、指示された元画像に対して、指示された画像変換パラメータに基づき画像変換を行い、画像変換処理の要求元に対して画像変換結果を通知する（Ｓ２０７）。このステップＳ２０７の詳しい内容については、図４及び図５を参照して後述する。
【００２０】
そして、画像処理ジョブキューから、ステップＳ２０７で画像変換処理したジョブを削除し（Ｓ２０８）、ステップＳ２０５に戻る。
【００２１】
ステップＳ２０２での判定結果がＮＯならば、図３のステップ２０９に進んで、中央処理装置１０８で、ステップＳ２０１で受け付けた処理要求が、ページ削除要求であるか否かを判定する。この結果、ページ削除要求であるならば、ページ削除処理を行い（Ｓ２１０）、ステップＳ２０１に戻る。このステップＳ２１０の詳しい内容については、図６を参照して後述する。
【００２２】
ステップＳ２０９での判定結果がＮＯならば、中央処理装置１０８で、ステップＳ２０１で受け付けた処理要求が、キャッシュクリア要求であるか否かを判定する（Ｓ２１１）。この結果、キャッシュクリア要求であるならば、中央処理装置１０８で、記憶装置１０９上の画像処理ジョブキューから、送信ジョブに関連する削除すべきページをすべて検索し（Ｓ２１２）、対象ページを削除し（Ｓ２１３）、ページ位置情報を削除し（Ｓ２１４）、キャッシュ情報を削除する（Ｓ２１５）。その後ステップＳ２０１に戻り、処理は新たな要求待ちになる。
【００２３】
ステップＳ２１１での判定結果がＮＯならば、中央処理装置１０８で、ステップＳ２０１で受け付けた処理要求が、処理終了要求であるか否かを判定する（Ｓ２１６）。その結果、処理終了要求であるならば各種要求対応処理を終了し、処理終了要求でなければステップＳ２０１に戻り、処理は新たな要求待ちになる。
【００２４】
図４及び図５は、図２のステップＳ２０７における画像変換処理の詳細内容を示すフローチャートである。
【００２５】
まず図４において、画像変換処理の開始要求を受け付け（Ｓ３０１）、記憶装置１０９上に設けたキャッシュ情報テーブルを参照する（Ｓ３０２）。
【００２６】
図１０は、画像変換情報から成るキャッシュ情報テーブルを示す図である。
【００２７】
キャッシュ情報テーブルには、画像変換要求に基づき、先入れ先出し手法（キューイング）で複数のジョブ情報（画像変換情報）が格納されている。ジョブ情報（画像変換情報）としては、送信ジョブ情報、元画像情報、変換パラメータ、変換ジョブＩＤ、変換結果画像情報、ページ位置情報、参照予定数等が含まれる。
【００２８】
図４に戻って、ステップＳ３０２に続いて、中央処理装置１０８で、ステップＳ３０１で受け付けた変換処理要求により指示された変換元画像と変換パラメータとの組み合わせと同一の組み合わせがキャッシュ情報テーブルに含まれ、既に変換結果画像が記憶装置１０９に保持されているか否かを判定する（Ｓ３０３）。
【００２９】
図１１は、変換要求とキャッシュ情報テーブルと変換結果画像との関係を示す図である。
【００３０】
変換要求２０１には、元画像情報（変換元画像）、変換パラメータ、ページ位置情報等が含まれ、キャッシュ情報テーブル２０２内の複数のジョブ情報２０２ａ〜２０２ｃに対応して変換結果画像２０３ａ〜２０３ｃ及びページ位置情報２０４ａ〜２０４ｃが記憶装置１０９に保持されている。
【００３１】
図４に戻って、ステップＳ３０３での判定結果がＹＥＳならば、ステップＳ３０１で受け付けた変換処理要求により指示された変換元画像のページ位置情報が、キャッシュ情報テーブルに保存されているページ位置情報で、ステップＳ３０３で保持されていると判定された変換結果画像の前ページまでのページ位置情報と一致するか否かを判定する（Ｓ３０４）。この結果、一致しているならば、画像変換要求元のアプリケーションに通知する変換結果画像として、既に記憶装置１０９に保持している変換結果画像で、ステップＳ３０１で受け付けた画像変換処理要求に該当する変換結果画像を設定し（Ｓ３０５）、変換結果のページ位置情報として、記憶装置１０９に保持しているページ位置情報で、ステップＳ３０５で設定された変換結果画像のページ位置情報を設定し（Ｓ３０６）、変換結果を「成功」に設定して（Ｓ３０７）、画像変換処理を要求したアプリケーションに結果として通知し（Ｓ３０８）、本処理を終了する。
【００３２】
一方、ステップＳ３０３またはステップＳ３０４での判定がＮＯならば、図５のステップＳ３０９に進んで、中央処理装置１０８で、記憶装置１０９上に設けられたキャッシュ情報テーブルにおけるジョブ情報の数（要素数）とシステムで規定した規定数とを比較し、キャッシュ情報テーブルに空きがあるか否かを判定する。その結果、空きがないならば、記憶装置１０９上に設けられたキャッシュ情報テーブルを参照し、参照予定数（同一の変換結果画像を送信すべき宛先の数）が０となっている変換結果画像で、最も古いものを消去し（Ｓ３１６、図１０）、ステップＳ３１０に移る。
【００３３】
ステップＳ３０９でキャッシュ情報テーブルに空きがあると判定されたならば、中央処理装置１０８で、ステップＳ３０１で受け付けた画像変換要求に従い、変換元画像に対して、指定された画像変換パラメータに基づきで画像変換を実行する（Ｓ３１０）。この後、中央処理装置１０８で、ステップＳ３１０の画像変換処理が成功したか否かを判定する（Ｓ３１１）。
【００３４】
ステップＳ３１１の判定結果がＹＥＳならば、記憶装置１０９上に設けたキャッシュ情報テーブルに、ステップＳ３０１で受け付けた画像変換要求に含まれる変換要求情報、ステップＳ３１０で得られた変換結果画像情報、及び変換結果画像のページ位置情報を保存する（Ｓ３１２）。
【００３５】
続いて、ステップＳ３０１で受け付けた画像変換要求に該当する変化結果画像として、ステップＳ３１０で得られた変換結果画像及びページ位置情報を設定し（Ｓ３１３）、ステップＳ３１２で保存した情報に、ステップＳ３０１で受け付けた画像変換要求に含まれる参照予定数を加え（Ｓ３１４）、変換結果を「成功」に設定し（Ｓ３１５）、ステップＳ３０８に移る。
【００３６】
なおステップＳ３１１の判定結果がＮＯならば、変換結果を「エラー（失敗）」に設定し（Ｓ３１７）、ステップＳ３０８に移る。
【００３７】
図６は、図３のステップＳ２１０におけるページ削除処理の詳細内容を示すフローチャートである。
【００３８】
まず、ページ削除依頼を受け付け（Ｓ４０１）、記憶装置１０９上に設けられたキャッシュ情報テーブルを参照する（Ｓ４０２）。続いて中央処理装置１０８で、ステップＳ４０１で受け付けたページ削除依頼の対象ページが、キャッシュ情報テーブルに登録されているものであるか否かを判定する（Ｓ４０３）。
【００３９】
ステップＳ４０３での判定結果がＹＥＳならば、対象ページのキャッシュ情報の参照予定数（カウント）を一つ減じ（Ｓ４０４）、中央処理装置１０８で、この減じられた参照予定数が０であるか否かを判定する（Ｓ４０５）。その結果、参照予定数が０でなければ、ステップＳ４０１でページ削除依頼したアプリケーションに対し、処理結果を通知し（Ｓ４０６）、本処理を終了する。
【００４０】
一方、ステップＳ４０５での判定結果がＹＥＳならば、記憶装置１０９上の削除要求がなされたページの変換結果画像を削除し（Ｓ４０７）、ページ位置情報を削除し（Ｓ４０８）、登録されているキャッシュ情報を削除し（Ｓ４０９）、ステップＳ４０６に移る。
【００４１】
また、ステップＳ４０３での判定結果がＮＯならば、ステップＳ４０６に移る。
【００４２】
図７及び図８は、図１に示す複合機の制御部１０２で行われる個々の送信アプリケーションの処理手順を示すフローチャートである。
【００４３】
操作者がスキャナ部１０４に原稿をセットし、または、既に記憶装置１０９に保存されている文書を操作部１０５から指定し、操作部１０５から送信宛先を選択指定した上で、送信依頼を操作部１０５から制御部１０２に入力すると、制御部１０２では送信依頼を受け付け（Ｓ５０１）、この受け付けた送信依頼に従い、送信インターフェース１０７を介してある１つの送信宛先との通信コネクションを確立する（Ｓ５０２）。
【００４４】
続いて、中央処理装置１０８で、ステップＳ５０２で行われたコネクション確立が成功したか否かを判定し（Ｓ５０３）、この結果、コネクション確立が成功したならば、ステップＳ５０１で受け付けた送信依頼から参照予定数を取り出す（Ｓ５０４）。この参照予定数は、同一の変換結果画像を送信すべき宛先の数である。なおステップＳ５０３での判定結果がＮＯならば、本処理を終了する。
【００４５】
続いてステップＳ５０５に進んで、送信すべきページのページ位置情報を初期化する。そして、ステップＳ５０１で受け付けた送信依頼に従い、送信を依頼された画像に必要な画像変換パラメータ、およびステップＳ５０４で取り出した参照予定数を、画像変換を依頼する際のパラメータとして設定し（Ｓ５０６）、ページ位置情報を設定する（Ｓ５０７）。
【００４６】
続いて図８のステップＳ５０８に進んで、画像変換処理を依頼する。次に中央処理装置１０８で、この依頼された画像変換処理が成功したか否かを判定する（Ｓ５０９）。この結果、画像変換処理が成功したならば、得られた変換結果画像を、ステップＳ５０２でコネクションを確立した送信宛先に対して送信し（Ｓ５１０）、画像変換部に変換結果画像の使用終了を通知する（Ｓ５１１）。なお、ステップＳ５０９での判定結果がＮＯならば、ステップＳ５０２で確立したコネクションを切断し（Ｓ５１３）、本処理を終了する。
【００４７】
ステップＳ５１１の処理後、中央処理装置１０８で、ステップＳ５０１で受け付けた送信依頼で指定されたすべてのページを送信したか否かを判定し（Ｓ５１２）、この結果、すべてのページの送信が完了したならばステップＳ５１３に進んで、ステップＳ５０２で確立したコネクションを切断し（Ｓ５１３）、本処理を終了する。一方、まだ送信が完了していないページがあるならば、ステップＳ５０６に戻る。
【００４８】
図９は、図１に示す複合機の制御部１０２で行われる同報送信の処理手順を示すフローチャートである。
【００４９】
操作者がスキャナ部１０４に原稿をセットし、または、既に記憶装置１０９に保存されている文書を操作部１０５から指定し、操作部１０５から送信宛先を１つまたは複数選択指定した上で、送信依頼を操作部１０５から制御部１０２に入力すると、制御部１０２では送信依頼を受け付け（Ｓ６０１）、この受け付けた送信依頼により指定された送信宛先を、処理すべき送信アプリケーションごとに分類する（Ｓ６０２）。続いて中央処理装置１０８で、この受け付けた送信依頼により指定されたすべての送信宛先が、送信アプリケーション毎に分類されたか否かを判定する（Ｓ６０３）。
【００５０】
ステップＳ６０３での判定結果がＮＯならばステップＳ６０２に戻り、ＹＥＳならば、ステップＳ６０２での分類結果に従い、各送信アプリケーションに対して、送信すべき宛先への送信処理を依頼する（Ｓ６０４）。ここで、各送信アプリケーションは、図７及び図８に示すような処理を行う。
【００５１】
続いて、送信アプリケーションから送信結果を受信し（Ｓ６０５）、送信結果を記憶装置１０９に記録し（Ｓ６０６）、中央処理装置１０８で、ステップＳ６０４で送信依頼したすべての送信アプリケーションでの送信処理が終了したか否かを判定する（Ｓ６０７）。この結果、送信が完了していない送信アプリケーションがあるならばならばステップＳ６０５に戻り、すべての送信アプリケーションでの送信処理が終了しているならば、画像変換部に対してキャッシュしている画像のクリアを要求し（Ｓ６０８）、本処理を終了する。
【００５２】
以上のようにして、本実施の形態では、複数ページを１ファイルとして送信する場合でも、画像変換後に改めて複数ページを１ファイルにまとめる処理を省くことができ、送信処理のパフォーマンスを向上させることができる。
【００５３】
［他の実施の形態］
なお、本発明の目的は、前述の実施の形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【００５４】
この場合、記憶媒体から読み出されたプログラムコード自体が前述した実施の形態の機能を実現することになり、そのプログラムコードを記憶した記憶媒体は本発明を構成することになる。
【００５５】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、磁気テープ、不揮発性のメモリカード、ＲＯＭ等を用いることができる。
【００５６】
また、コンピュータが読み出したプログラムコードを実行することにより、上記の実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００５７】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれる。
【００５８】
以上のように、本発明の各種の実施の形態を示して説明したが、以下に本発明の実施態様の例を列挙する。
【００５９】
〔実施態様１〕  画像データに対して、指定された方式の画像変換を行い、指定された送信宛先に送信する画像データ送信装置において、
画像データをページごとに、異なる方式の画像変換をそれぞれ行い、変換後の各画像データを記憶装置に格納する第１の格納手段と、
前記第１の格納手段によって前記記憶装置に格納された変換後画像データに対応づけて、変換前の画像データの識別情報、ページ識別情報、及び画像変換方式の識別情報を前記記憶装置に格納する第２の格納手段と、
少なくとも、送信対象である画像データの変換前の識別情報、ページ識別情報、画像変換方式の識別情報、及び送信宛先を指定して入力された画像データ送信要求を受け付ける受付手段と、
前記記憶装置を参照して、前記受付手段によって受け付けられた画像データ送信要求において指定された前記３つの識別情報とそれぞれ一致する各識別情報を対応付けられて格納された変換後画像データを検出する検出手段と、
前記検出手段によって検出された変換後画像データを前記記憶装置から読み出して、前記受付手段によって受け付けられた画像データ送信要求において指定された送信宛先に対して送信する送信手段と
を有することを特徴とする画像データ送信装置。
【００６０】
〔実施態様２〕  前記検出手段は、前記受付手段によって受け付けられた画像データ送信要求において指定されたページ識別情報が、前記記憶装置に格納されているページ位置情報のうち、対応の変換後画像データの前ページまでのページ位置情報と一致することを判定することを特徴とする実施態様１に記載の画像データ送信装置。
【００６１】
〔実施態様３〕  前記受付手段が受け付ける画像データ送信要求に、前記送信対象である画像データの変換後画像データを送信宛先に送信することが許容される回数である参照予定数が含まれ、
前記送信手段によって前記変換後画像データが前記記憶装置から読み出され送信されるたびに前記参照予定数を減少させる減少手段と、
前記参照予定数が０になったとき、前記記憶装置に格納されている前記変換後画像データ、該変換後画像データに対応する変換前の画像データの識別情報、ページ識別情報、及び画像変換方式の識別情報を削除する削除手段と
を更に有することを特徴とする実施態様１に記載の画像データ送信装置。
【００６２】
〔実施態様４〕  前記検出手段によって前記変換後画像データが検出できない場合、前記受付手段によって受け付けられた画像データ送信要求において指定された前記３つの識別情報に基づき、該指定された送信対象の画像データに対して前記第１及び第２の格納手段を動作させるとともに、得られた変換後画像データを前記画像データ送信要求において指定された送信宛先に対して送信する送信制御手段を、更に有することを特徴とする実施態様１に記載の画像データ送信装置。
【００６３】
〔実施態様５〕  画像データをページごとに、異なる方式の画像変換をそれぞれ行い、変換後の各画像データを記憶装置に格納する第１の格納ステップと、
前記第１の格納ステップによって前記記憶装置に格納された変換後画像データに対応づけて、変換前の画像データの識別情報、ページ識別情報、及び画像変換方式の識別情報を前記記憶装置に格納する第２の格納ステップと、
少なくとも、送信対象である画像データの変換前の識別情報、ページ識別情報、画像変換方式の識別情報、及び送信宛先を指定して入力された画像データ送信要求を受け付ける受付ステップと、
前記記憶装置を参照して、前記受付ステップによって受け付けられた画像データ送信要求において指定された前記３つの識別情報とそれぞれ一致する各識別情報を対応付けられて格納された変換後画像データを検出する検出ステップと、
前記検出ステップによって検出された変換後画像データを前記記憶装置から読み出して、前記受付ステップによって受け付けられた画像データ送信要求において指定された送信宛先に対して送信する送信ステップと
を有することを特徴とする画像データ送信方法。
【００６４】
〔実施態様６〕  前記検出ステップは、前記受付ステップによって受け付けられた画像データ送信要求において指定されたページ識別情報が、前記記憶装置に格納されているページ位置情報のうち、対応の変換後画像データの前ページまでのページ位置情報と一致することを判定することを特徴とする実施態様５に記載の画像データ送信方法。
【００６５】
〔実施態様７〕  前記受付ステップが受け付ける画像データ送信要求に、前記送信対象である画像データの変換後画像データを送信宛先に送信することが許容される回数である参照予定数が含まれ、
前記送信ステップによって前記変換後画像データが前記記憶装置から読み出され送信されるたびに前記参照予定数を減少させる減少ステップと、
前記参照予定数が０になったとき、前記記憶装置に格納されている前記変換後画像データ、該変換後画像データに対応する変換前の画像データの識別情報、ページ識別情報、及び画像変換方式の識別情報を削除する削除ステップと
を更に有することを特徴とする実施態様５に記載の画像データ送信方法。
【００６６】
〔実施態様８〕  前記検出ステップによって前記変換後画像データが検出できない場合、前記受付ステップによって受け付けられた画像データ送信要求において指定された前記３つの識別情報に基づき、該指定された送信対象の画像データに対して前記第１及び第２の格納ステップを実行させるとともに、得られた変換後画像データを前記画像データ送信要求において指定された送信宛先に対して送信する送信制御ステップを、更に有することを特徴とする実施態様５に記載の画像データ送信方法。
【００６７】
〔実施態様９〕  画像データをページごとに、異なる方式の画像変換をそれぞれ行い、変換後の各画像データを記憶装置に格納する第１の格納ステップと、
前記第１の格納ステップによって前記記憶装置に格納された変換後画像データに対応づけて、変換前の画像データの識別情報、ページ識別情報、及び画像変換方式の識別情報を前記記憶装置に格納する第２の格納ステップと、
少なくとも、送信対象である画像データの変換前の識別情報、ページ識別情報、画像変換方式の識別情報、及び送信宛先を指定して入力された画像データ送信要求を受け付ける受付ステップと、
前記記憶装置を参照して、前記受付ステップによって受け付けられた画像データ送信要求において指定された前記３つの識別情報とそれぞれ一致する各識別情報を対応付けられて格納された変換後画像データを検出する検出ステップと、
前記検出ステップによって検出された変換後画像データを前記記憶装置から読み出して、前記受付ステップによって受け付けられた画像データ送信要求において指定された送信宛先に対して送信する送信ステップと
を有する画像データ送信方法を、コンピュータに実行させるためのプログラム。
【００６８】
〔実施態様１０〕  前記検出ステップは、前記受付ステップによって受け付けられた画像データ送信要求において指定されたページ識別情報が、前記記憶装置に格納されているページ位置情報のうち、対応の変換後画像データの前ページまでのページ位置情報と一致することを判定することを特徴とする実施態様９に記載のプログラム。
【００６９】
〔実施態様１１〕  前記受付ステップが受け付ける画像データ送信要求に、前記送信対象である画像データの変換後画像データを送信宛先に送信することが許容される回数である参照予定数が含まれ、前記画像データ送信方法が更に、
前記送信ステップによって前記変換後画像データが前記記憶装置から読み出され送信されるたびに前記参照予定数を減少させる減少ステップと、
前記参照予定数が０になったとき、前記記憶装置に格納されている前記変換後画像データ、該変換後画像データに対応する変換前の画像データの識別情報、ページ識別情報、及び画像変換方式の識別情報を削除する削除ステップと
を有することを特徴とする実施態様９に記載のプログラム。
【００７０】
〔実施態様１２〕  前記画像データ送信方法が更に、前記検出ステップによって前記変換後画像データが検出できない場合、前記受付ステップによって受け付けられた画像データ送信要求において指定された前記３つの識別情報に基づき、該指定された送信対象の画像データに対して前記第１及び第２の格納ステップを実行させるとともに、得られた変換後画像データを前記画像データ送信要求において指定された送信宛先に対して送信する送信制御ステップを有することを特徴とする実施態様９に記載のプログラム。
【００７１】
〔実施態様１３〕  画像データをページごとに、異なる方式の画像変換をそれぞれ行い、変換後の各画像データを記憶装置に格納する第１の格納ステップと、
前記第１の格納ステップによって前記記憶装置に格納された変換後画像データに対応づけて、変換前の画像データの識別情報、ページ識別情報、及び画像変換方式の識別情報を前記記憶装置に格納する第２の格納ステップと、
少なくとも、送信対象である画像データの変換前の識別情報、ページ識別情報、画像変換方式の識別情報、及び送信宛先を指定して入力された画像データ送信要求を受け付ける受付ステップと、
前記記憶装置を参照して、前記受付ステップによって受け付けられた画像データ送信要求において指定された前記３つの識別情報とそれぞれ一致する各識別情報を対応付けられて格納された変換後画像データを検出する検出ステップと、
前記検出ステップによって検出された変換後画像データを前記記憶装置から読み出して、前記受付ステップによって受け付けられた画像データ送信要求において指定された送信宛先に対して送信する送信ステップと
を有する画像データ送信方法をプログラムとして記憶した、コンピュータにより読み出し可能な記憶媒体。
【００７２】
〔実施態様１４〕  前記検出ステップは、前記受付ステップによって受け付けられた画像データ送信要求において指定されたページ識別情報が、前記記憶装置に格納されているページ位置情報のうち、対応の変換後画像データの前ページまでのページ位置情報と一致することを判定することを特徴とする実施態様１３に記載の記憶媒体。
【００７３】
〔実施態様１５〕  前記受付ステップが受け付ける画像データ送信要求に、前記送信対象である画像データの変換後画像データを送信宛先に送信することが許容される回数である参照予定数が含まれ、前記画像データ送信方法が更に、
前記送信ステップによって前記変換後画像データが前記記憶装置から読み出され送信されるたびに前記参照予定数を減少させる減少ステップと、
前記参照予定数が０になったとき、前記記憶装置に格納されている前記変換後画像データ、該変換後画像データに対応する変換前の画像データの識別情報、ページ識別情報、及び画像変換方式の識別情報を削除する削除ステップと
を有することを特徴とする実施態様１３に記載の記憶媒体。
【００７４】
〔実施態様１６〕  前記画像データ送信方法が更に、前記検出ステップによって前記変換後画像データが検出できない場合、前記受付ステップによって受け付けられた画像データ送信要求において指定された前記３つの識別情報に基づき、該指定された送信対象の画像データに対して前記第１及び第２の格納ステップを実行させるとともに、得られた変換後画像データを前記画像データ送信要求において指定された送信宛先に対して送信する送信制御ステップを有することを特徴とする実施態様１３に記載の記憶媒体。
【００７５】
【発明の効果】
以上詳述したように本発明によれば、画像データをページごとに、異なる方式の画像変換をそれぞれ行い、変換後の各画像データを記憶装置に格納するとともに、前記記憶装置に格納された変換後画像データに対応づけて、変換前の画像データの識別情報、ページ識別情報、及び画像変換方式の識別情報を前記記憶装置に格納する。そして、少なくとも、送信対象である画像データの変換前の識別情報、ページ識別情報、画像変換方式の識別情報、及び送信宛先を指定して入力された画像データ送信要求を受け付け、前記記憶装置を参照して、前記受け付けられた画像データ送信要求において指定された前記３つの識別情報とそれぞれ一致する各識別情報を対応付けられて格納された変換後画像データを検出し、該検出された変換後画像データを前記記憶装置から読み出して、前記受け付けられた画像データ送信要求において指定された送信宛先に対して送信する。
【００７６】
なお、前記変換後画像データの検出において、前記受け付けられた画像データ送信要求において指定されたページ識別情報が、前記記憶装置に格納されているページ位置情報のうち、対応の変換後画像データの前ページまでのページ位置情報と一致することを判定する。
【００７７】
これにより、複数ページを１ファイルとして送信する場合でも、画像変換後に改めて複数ページを１ファイルにまとめる処理を省くことができ、画像変換、送信処理のパフォーマンスを向上させることができる。
【図面の簡単な説明】
【図１】本発明に係る画像データ送信装置を含む複合機器の一実施の形態の構成を示すブロック図である。
【図２】図１に示す複合機の制御部で行われる各種要求対応処理の手順を示すフローチャート（１／２）である。
【図３】図１に示す複合機の制御部で行われる各種要求対応処理の手順を示すフローチャート（２／２）である。
【図４】図２のステップＳ２０７における画像変換処理の詳細内容を示すフローチャート（１／２）である。
【図５】図２のステップＳ２０７における画像変換処理の詳細内容を示すフローチャート（２／２）である。
【図６】図３のステップＳ２１０におけるページ削除処理の詳細内容を示すフローチャートである。
【図７】図１に示す複合機の制御部で行われる個々の送信アプリケーションの処理手順を示すフローチャート（１／２）である。
【図８】図１に示す複合機の制御部で行われる個々の送信アプリケーションの処理手順を示すフローチャート（２／２）である。
【図９】図１に示す複合機の制御部で行われる同報送信の処理手順を示すフローチャートである。
【図１０】画像変換情報から成るキャッシュ情報テーブルを示す図である。
【図１１】変換要求とキャッシュ情報テーブルと変換結果画像との関係を示す図である。
【符号の説明】
１０１  画像形成部
１０２  制御部
１０３  フィニッシャー
１０４  スキャナ部
１０５  操作部（受付手段）
１０６  複数の受信インターフェース
１０７  複数の送信インターフェース（送信手段）
１０８  中央処理装置（ＣＰＵ、第１の格納手段、第２の格納手段、検出手段）
１０９  記憶装置（メモリ）
【図１】
2004350219.tif 000003
【図２】
2004350219.tif 000004
【図３】
2004350219.tif 000005
【図４】
2004350219.tif 000006
【図５】
2004350219.tif 000007
【図６】
2004350219.tif 000008
【図７】
2004350219.tif 000009
【図８】
2004350219.tif 000010
【図９】
2004350219.tif 000011
【図１０】
2004350219.tif 000012
【図１１】
2004350219.tif 000013